(57)【要約】【課題】遮断器ケースに付属装置を装着した状態で付属装置のリード線を結束保持して左右，電源側のいずれのサイドへの引き出しにも対応できるようにして配線作業の利便性を高めた回路遮断器の内部付属装置を提供する。【解決手段】遮断器ケースの内部に画成したポケット状の付属品収納部に格納して遮断器本体の開閉機構に連繋させたカセット式の内部付属装置で、そのベース６に組み込んだ付属スイッチ７ａ，警報スイッチ７ｂなどの機能部品に接続したリード線１０を結束して前記本体ケースの外方に引き出して配線するようにしたものにおいて、前記ベース６の左右側壁面に、リード線１０を嵌挿して結束状態に保持するＴ字形アームになるリード線保持部６ｃを設け、リード線１０をグループ分した上で、リード線の引き出し方向に合わせて選択した前記Ｔ字形アームとベース側壁との間の隙間に押し込んで結束状態に保持させる。【選択図】        図１
2006140100.tif 000002
【特許請求の範囲】
【請求項１】
遮断器の本体ケース内部に画成したポケット状の付属品収納部に格納して遮断器本体の開閉機構に連繋させたカセット式の内部付属装置であり、そのベースに組み込んだ機能部品のリード線を結束して前記本体ケースの外方に引き出して配線するようにしたものにおいて、
前記ベースの左右側壁面に、機能部品のリード線を嵌挿して結束状態に保持するリード線保持部を設けたことを特徴とする回路遮断器の内部付属装置。
【請求項２】
請求項１記載の内部付属装置において、リード線保持部がベース側壁から突き出したＴ字形のアームになり、該アームの両サイドからアームとベース側壁との間の隙間にリード線を嵌入して結束状態に保持するようにしたことを特徴とする回路遮断器の内部付属装置。
【請求項３】
請求項２記載の内部付属装置において、Ｔ字形アームの先端部にリード線の抜け止め防止用の突起を設けたことを特徴とする回路遮断器の内部付属装置。
【請求項４】
請求項１ないし３のいずれかに記載の内部付属装置において、リード線保持部に保持したリード線を内部付属装置のベース側壁面に沿って電源側に引き出すようにしたことを特徴とする回路遮断器の内部付属装置。
【発明の詳細な説明】
【技術分野】
【０００１】
本発明は、配線用遮断器などを対象とする回路遮断器に追加装備してその本体ケースの内部に格納するカセット式の内部付属装置の構造に関する。
【背景技術】
【０００２】
周知のように頭記の回路遮断器には、仕様変更に対してフレキシブルに対応させるように補助スイッチ，警報スイッチ，電圧引外し装置，不足電圧引外し装置などの各種付属装置が用意されている。  また、前記の内部付属装置を遮断器の本体ケースに後付けして搭載するために、本体ケースの内方にはポケット状の付属品収納部を画成しておき、ここに付属装置をカセット式に格納した上で、付属装置のリード線を本体ケースから外部に引き出して盤内に配備した回路遮断器の動作表示部，制御部などに配線するようにしている。
次に、前記の補助スイッチと警報スイッチを組合せた付属装置を例に、付属装置の従来構造および該付属装置を搭載する回路遮断器の本体ケースの構造を図５〜図８に示す。まず、図５は回路遮断器（配線用遮断器）の外観図で、１は遮断器本体のケース、２はカバー、３はカバー２の上面に付設した開閉式のトップカバー、４は開閉操作ハンドルであり、図示してないが本体ケース内にはＲ，Ｓ，Ｔ相の各相に対応する主回路接点、開閉機構、過電流引外し装置などの機能部品を装備している。
【０００３】
また、図６に示す付属装置５は、カセット構造のベース（樹脂成形品）６に補助スイッチ，警報スイッチに対応する２個のマイクロスイッチ７を並置して組み込み、かつベース６の一端側に係合爪を兼ねた把手６ａを、他端側には補助スイッチの操作レバー８および警報スイッチの操作レバー９を組み付けた上で、各スイッチの端子に半田付け接合したリード線１０をベース６の上面側から引き出した構造になる。
一方、上記付属装置５を搭載する遮断器本体ケースのカバー２には、図７で示すようにハンドルの装着位置を挟んでその両サイドにポケット状の付属品収納部２ａが画成されており、付属装置５をこの収納部２ａに上方から挿入セットし、図８に示した組み込み位置で前記した操作レバー８，９を遮断器本体の開閉機構にそれぞれ連繋させて遮断器のＯＮ，ＯＦＦ状態，およびトリップ動作状態を検知するようにしている。なお、図８においてトップカバー３は一端をカバー２にヒンジ結合しており、通常の使用状態では図５のようにトップカバー３を閉じて前記付属装置５を覆っている。
【０００４】
また、付属装置５を遮断器本体に組み込んだ状態では、図６に示したリード線１０を本体ケースのカバー２とトップカバー３との間に形成されているリード引き出し用の隙間を通じてケース外方に引き出して配線するようにしているが、この場合にリード線１０が外力を受けて付属装置の接続部（半田付け）から離脱しないようリード線１０を結束した状態で遮断器の本体ケース側に保持する必要があり、この結束保持手段として遮断器ケースの左右側壁部分に独立部品になるリード線保持具を着脱可能に装着し、この保持具に嵌挿して付属装置に接続したリード線をケース外方に引き出すようにした構成のものが知られている（例えば、特許文献１参照）。
【特許文献１】特許第３４８２３０２号公報
【発明の開示】
【発明が解決しようとする課題】
【０００５】
前記特許文献１に開示されているリード線保持具を用いることにより、図８のように遮断器ケースカバー２の左側収納部，右側収納部に収納したいずれの付属装置に対しても同じ部品のリード線保持具で対応できる利便性がある反面、リード線保持具が独立した小型部品であることからユーザーサイドで付属装置を後付けする場合に部品を紛失したりするおそれがあって保管管理が煩わしいほか、付属装置とは別に前記リード線保持具を遮断器ケースに装着するために手間がかかる。また、付属装置のリード線は付属装置のセット位置により遮断器ケースから左右サイドに引き出すほか、仕様によっては遮断器ケースの電源側サイドに引き出して配線する場合もあるが、前記したリード保持具は遮断器ケースの側壁に取り付けるため、このような配線には対応できない問題もある。
本発明は上記の点に鑑みなされたものであり、その目的は前述のように独立部品になるリード線保持具を用いることなく、遮断器ケースに付属装置を装着した状態でリード線を結束保持して左右，電源側のいずれのサイドへの引き出しにも対応できるようにして配線作業の利便性を高めた回路遮断器の内部付属装置を提供することにある。
【課題を解決するための手段】
【０００６】
上記目的を達成するために、本発明によれば、遮断器の本体ケース内部に画成したポケット状の付属品収納部に格納して遮断器本体の開閉機構に連繋させたカセット式の内部付属装置で、そのベースに組み込んだ機能部品に接続したリード線を結束して前記本体ケースの外方に引き出して配線するようにしたものにおいて、
前記ベースの左右側壁面に、機能部品のリード線を嵌挿して結束状態に保持するリード線保持部を設けるものとし（請求項１）、そのリード線保持部は具体的に次記のような態様で構成する。
（１）前記のリード線保持部がベース側壁から突き出したＴ字形のアームとし、該アームの両サイドからアームとベース側壁との間の隙間にリード線を嵌入して結束状態に保持するようにする（請求項２）。
（２）前項（１）において、Ｔ字形アームの先端部にリード線の抜け止め防止用の突起を設ける（請求項３）。
（３）前記のリード線保持部に保持したリード線を内部付属装置のベース側壁面に沿って電源側に引き出すようにする（請求項４）。
【発明の効果】
【０００７】
上記の構成によれば、付属装置に対して機能部品を組み付けたベースの左右側壁面にリード線保持部としてＴ字形のアームをあらかじめ設けたことにより、特許文献１に開示されている構成のように、付属装置と別個の独立部品になるリード線保持具を必要とせずに、付属装置に設けたリード線保持部を選択することで、遮断器ケースから左右，あるいは電源側サイド方向へのリードの引き出しにも対応してリード線を結束した状態に保持することができる。また、ベース６の両側壁に沿ってリード線を引き外すため、付属装置の外形寸法が大型化することもない。これにより、ユーザーサイドで付属装置を遮断器に後付けする場合でも、リード線の配線作業を簡単に行うことができて利便性が向上する。
【発明を実施するための最良の形態】
【０００８】
以下、本発明の実施の形態を図１〜図４に示す実施例に基づいて説明する。なお、実施例の図中で図５〜図８に対応する部材には同じ符号を付してその詳細な説明は省略する。
まず、先記した図６の付属装置と同様に付属スイッチと警報スイッチを組み合わせてユニット化した付属装置を例に、本発明の実施例による付属装置の構造を図１（ａ）に示す。すなわち、図示実施例の付属装置は図６の構成と基本的に同様であるが、補助スイッチ７ａ，警報スイッチ７ｂに対応する機能部品を組み付けたモールド樹脂製のベース（カセット容器）６には、その左右の側壁面から側方に張り出したリード線保持部６ｃが一体成形されている。このリード線保持部６ｃはＴ字形のアームになり、そのアームとベース側壁面との間にはアームの中央脚部6c−２を境にしてその両側に、リード線１０をアームの先端側から嵌挿して結束状態に保持するよう両端が開放した隙間が画成されている。また、アームの先端には前記隙間を狭めてリード線外れを防止する抜け止め突起６ｃ−１が形成されている。なお、６ｂはリード線１０の押え板を兼ねたベース６の上蓋である。
【０００９】
上記の構成で、付属装置５の付属スイッチ７ａおよび警報スイッチ７ｂの端子に半田接合したリード線１０を、図中の矢印Ｐ方向から見てベース６の右側面に設けたリード線保持部６ｃのＴ字形アームに保持するには、図示のように合計６本のリード線１０をスイッチ別に３本ずつグループ分けした上で、補助スイッチ７ａのリード線１０ａを矢印Ｐと同じ方向から１本ずつ前記隙間に押し込んで嵌挿する。また、警報スイッチ７ｂのリード線１０ｂは矢印Ｐと反対方向から嵌挿する。これにより、Ｔ字形アームの中央支脚６ｃ−２を境に左側にリード線１０ａが、右側にはリード線１０ｂがそれぞれ保持される。
また、前記のリード線１０を図１（ａ）とは反対側のサイドに引き出す場合には、図２のように補助スイッチ７ａ，警報スイッチ７ｂにそれぞれ接続したリード線１０ａ，１０ｂをグループ分けした上で、図示矢印Ｐ方向から見てベース６の左側面に設けたリード線保持部６ｃのＴ字形アームとベース側壁との間の隙間に嵌挿して保持する。
【００１０】
そして、上記のような手順でリード線１０をリード線保持部６ｃに結束保持した付属装置５を、そのリード線１０の引き出し方向に合わせて遮断器ケースのカバー２の左右両サイドに画成したポケット状の付属品収納部（図７参照）に収納してセットする。図１（ｂ）は２組の付属装置５を左右に分けて遮断器ケースのカバー２に収納セットした状態を表しており、各付属装置５のリード線１０はそれぞれカバー２とトップカバー３との間の隙間を通じて本体ケースの左右サイドから側方に引き出されている。
次に、遮断器ケースに搭載した付属装置５について、補助スイッチ７ａ，警報スイッチ７ｂのリード線１０を本体ケースの電源側サイド（図５参照）に引き出す配線について説明する。この場合には図３で示すように、補助スイッチ７ａのリード線１０ａは矢印Ｐ方向から見てベース６の右側面のリード線保持部６ｃに嵌挿保持した上で、ベース６の側面に沿って引き出し、警報スイッチ７ｂのリード線１０ｂは前記と反対側のリード線保持部６ｃに嵌挿保持して引き出すようにする。図４はこのようにして遮断器ケースのカバー２に搭載した付属装置５のリード線１０を電源側サイドに引き出した状態を表している。この場合でも、付属装置５から引き出したリード線１０はリード線保持部６ｃに保持されているので、外部からリード配線を引っ張ってもリード線が抜けるおそはない。また、ベース６の両側壁に沿ってリード線を引き外すため、付属装置の外形寸法が大型化することもない。なお、図示実施例では補助スイッチと警報スイッチを組み合わせた付属装置について述べたが、電圧引外し装置，不足電圧引外し装置などの付属装置についても同様に実施できることは勿論である。
【図面の簡単な説明】
【００１１】
【図１】本発明の実施例の構成図で、（ａ）はリード線をリード線保持部に結束保持した状態を表す付属装置の外観斜視図、（ｂ）は（ａ）の付属装置を遮断器ケースに収納セットしてリード線をケースの左右両サイドから外方に引き出した状態を上方から見た俯瞰図
【図２】付属装置のリード線を図１（ａ）と反対側に引き出して結束保持した状態の平面図
【図３】付属装置のリード線をベースの長手方向に引き出して結束保持した状態の平面図
【図４】図３に対応して遮断器ケースに収納した付属装置のリード線を電源側サイドに引き出した状態の俯瞰図
【図５】本発明に適用する回路遮断器の俯瞰図
【図６】図５の回路遮断器に適用する付属装置の従来構造を示す側面図
【図７】図５における遮断器ケースのカバー構造を表す俯瞰図
【図８】図５の回路遮断器に２組の付属装置を収納セットした状態を表す俯瞰図
【符号の説明】
【００１２】
１    遮断器本体のケース
２    カバー
３    トップカバー
５    付属装置
６    ベース
６ｃ  リード線保持部
６ｃ−１  抜け止め突起
【図１】
2006140100.tif 000003
【図２】
2006140100.tif 000004
【図３】
2006140100.tif 000005
【図４】
2006140100.tif 000006
【図５】
2006140100.tif 000007
【図６】
2006140100.tif 000008
【図７】
2006140100.tif 000009
【図８】
2006140100.tif 000010